(57)【要約】【課題】本体側端子に容器側端子を確実に接触させると共に、像担持体に対して現像器を適切な位置に配置する。【解決手段】本発明の画像形成装置１は、像担持体７を有する装置本体２と、現像器１１と、トナー容器５と、を備え、装置本体２は、本体側端子を有する本体側コネクター２４と、本体側コネクター２４を保持する本体側ハウジング２５と、を備え、トナー容器５は、容器側端子を有する容器側コネクター７８と、容器側コネクター７８を保持する容器側ハウジング７９と、を備え、現像器１１が装置本体２に装着された状態において、像担持体７との近接離間方向に現像器１１が移動可能であり、現像器１１が装置本体２に装着されると共にトナー容器５が現像器１１に装着された状態において、本体側ハウジング２５に容器側ハウジング７９が嵌合すると共に本体側端子に容器側端子が接触することを特徴とする。【選択図】図６
2014228608.tif 000002
【特許請求の範囲】
【請求項１】
トナー像を担持する像担持体を有する装置本体と、
該装置本体に着脱可能に装着され、前記像担持体にトナーを供給する現像器と、
該現像器に着脱可能に装着され、該現像器にトナーを供給するトナー容器と、を備え、
前記装置本体は、
本体側端子を有する本体側コネクターと、
該本体側コネクターを保持する本体側ハウジングと、を有する本体側接続部を備え、
前記トナー容器は、
前記本体側端子と接触可能な容器側端子を有する容器側コネクターと、
該容器側コネクターを保持する容器側ハウジングと、を有する容器側接続部を備え、
前記現像器が前記装置本体に装着された状態において、前記像担持体との近接離間方向に前記現像器が移動可能であり、
前記現像器が前記装置本体に装着されると共に前記トナー容器が前記現像器に装着された状態において、前記本体側ハウジングに前記容器側ハウジングが嵌合すると共に前記本体側端子に前記容器側端子が接触することを特徴とする画像形成装置。
【請求項２】
前記現像器は、前記近接離間方向に隙間がある状態で前記本体側ハウジングに嵌合する嵌合部を備えていることを特徴とする請求項１に記載の画像形成装置。
【請求項３】
前記嵌合部は、前記近接離間方向と前記トナー容器の前記現像器への装着方向とに対して交差する方向に隙間がある状態で前記本体側ハウジングに嵌合することを特徴とする請求項２に記載の画像形成装置。
【請求項４】
前記嵌合部は、前記近接離間方向と前記トナー容器の前記現像器への装着方向とに対して交差する方向に隙間が無い状態で前記本体側ハウジングに嵌合することを特徴とする請求項２に記載の画像形成装置。
【請求項５】
前記装置本体は、前記近接離間方向に移動可能な状態で前記本体側接続部を支持する支持部材を備えていることを特徴とする請求項１に記載の画像形成装置。
【請求項６】
前記支持部材は、前記近接離間方向と前記トナー容器の前記現像器への装着方向とに対して交差する方向に移動可能な状態で前記本体側接続部を支持することを特徴とする請求項５に記載の画像形成装置。
【請求項７】
前記支持部材は、前記近接離間方向と前記トナー容器の前記現像器への装着方向とに対して交差する方向への移動が規制された状態で前記本体側接続部を支持することを特徴とする請求項５に記載の画像形成装置。
【請求項８】
前記本体側接続部は、前記トナー容器の前記現像器への装着方向に沿って移動可能に設けられ、
前記装置本体は、前記装着方向手前側に向かって前記本体側接続部を付勢する付勢部材を更に備えていることを特徴とする請求項１〜７のいずれか１項に記載の画像形成装置。
【請求項９】
前記本体側接続部は、前記トナー容器の前記現像器への装着方向に沿って移動可能に設けられ、
前記装置本体は、
前記現像器が装着される装着部と、
該装着部内に挿入される被押圧部と、前記本体側接続部の前記装着方向奥側に配置される押圧部と、前記被押圧部と前記押圧部の間に設けられる支点部と、を有し、該支点部を中心に揺動可能な揺動部材と、を更に備え、
前記現像器が前記装着部に装着されると、前記現像器が前記被押圧部を押圧して前記揺動部材が前記支点部を中心に揺動し、前記押圧部が前記本体側接続部を押圧して該本体側接続部が前記装着方向手前側に移動することを特徴とする請求項１〜７のいずれか１項に記載の画像形成装置。
【請求項１０】
前記装置本体は、前記像担持体と近接する方向に前記現像器を付勢する付勢体を更に備えていることを特徴とする請求項１〜９のいずれか１項に記載の画像形成装置。
【請求項１１】
トナー像を担持する像担持体を有する装置本体と、該装置本体に着脱可能に装着され、前記像担持体にトナーを供給する現像器と、を有する画像形成装置に設けられ、前記現像器に着脱可能に装着され、前記現像器にトナーを供給するトナー容器であって、
前記装置本体は、
本体側端子を有する本体側コネクターと、
該本体側コネクターを保持する本体側ハウジングと、を有する本体側接続部を備え、
前記トナー容器は、
前記本体側端子と接触可能な容器側端子を有する容器側コネクターと、
該容器側コネクターを保持する容器側ハウジングと、を有する容器側接続部を備え、
前記現像器が前記装置本体に装着された状態において、前記像担持体との近接離間方向に前記現像器が移動可能であり、
前記現像器が前記装置本体に装着されると共に前記トナー容器が前記現像器に装着された状態において、前記本体側ハウジングに前記容器側ハウジングが嵌合すると共に前記本体側端子に前記容器側端子が接触することを特徴とするトナー容器。
【発明の詳細な説明】
【技術分野】
【０００１】
本発明は、画像形成装置及びこの画像形成装置に設けられるトナー容器に関する。
【背景技術】
【０００２】
従来、電子写真方式の画像形成装置は、トナー像を担持する像担持体（例えば、感光体ドラム）に現像器からトナーを供給することで、現像処理を行っている。このような現像処理に用いられるトナーは、トナー容器から現像器に供給されている。このトナー容器は、内部のトナーを使い切った際に容易に交換できるように、現像器に対して着脱可能に装着されているのが通常である。
【０００３】
また、上記のトナー容器には、製造番号等の各種情報が記憶された容器側コネクター（情報チップ）が設けられる場合がある。このような場合、画像形成装置の装置本体には、本体側コネクターが設けられる。そして、本体側コネクターと容器側コネクターの間で通信を行うことで、容器側コネクターから各種情報を読み出したり、容器側コネクターに各種情報を書き込んだりできるようになっている。
【０００４】
上記した本体側コネクターと容器側コネクターの間の通信方法としては、無線通信と接触通信が存在する。無線通信を行う場合には、比較的高価な無線通信基板が必要となり、その分コストが上昇する。そのため、接触通信は、無線通信と比べて画像形成装置を安価に構成できるというメリットがある（接触通信について、例えば特許文献１参照）。
【先行技術文献】
【特許文献】
【０００５】
【特許文献１】特開２０１２−２２６２８８号公報
【発明の概要】
【発明が解決しようとする課題】
【０００６】
上記のように本体側コネクターと容器側コネクターの間で接触通信を行う場合に、通信不良を回避するためには、トナー容器が現像器に着脱される都度、容器側コネクターに設けられた容器側端子を本体側コネクターに設けられた本体側端子に確実に接触させる必要がある。一方で、電子写真方式の画像形成装置は、前記のように現像器から像担持体にトナーを供給することで現像処理を行っており、現像器から像担持体に適切な量のトナーを供給するためには、像担持体に対して現像器を適切な位置に配置する必要がある。
【０００７】
そこで、本発明は上記事情を考慮し、本体側端子に容器側端子を確実に接触させると共に、像担持体に対して現像器を適切な位置に配置することを目的とする。
【課題を解決するための手段】
【０００８】
本発明の画像形成装置は、トナー像を担持する像担持体を有する装置本体と、該装置本体に着脱可能に装着され、前記像担持体にトナーを供給する現像器と、該現像器に着脱可能に装着され、該現像器にトナーを供給するトナー容器と、を備え、前記装置本体は、本体側端子を有する本体側コネクターと、該本体側コネクターを保持する本体側ハウジングと、を有する本体側接続部を備え、前記トナー容器は、前記本体側端子と接触可能な容器側端子を有する容器側コネクターと、該容器側コネクターを保持する容器側ハウジングと、を有する容器側接続部を備え、前記現像器が前記装置本体に装着された状態において、前記像担持体との近接離間方向に前記現像器が移動可能であり、前記現像器が前記装置本体に装着されると共に前記トナー容器が前記現像器に装着された状態において、前記本体側ハウジングに前記容器側ハウジングが嵌合すると共に前記本体側端子に前記容器側端子が接触することを特徴とする。
【０００９】
上記のように、現像器が装置本体に装着された状態において、像担持体との近接離間方向に現像器が移動可能である。そのため、像担持体に対する現像器の位置を調整することが可能となる。これに伴って、像担持体に対して現像器を適切な位置に配置することが可能となり、現像器から像担持体に適切な量のトナーを供給することができる。
【００１０】
また、現像器が装置本体に装着されると共にトナー容器が現像器に装着された状態において、本体側ハウジングに容器側ハウジングが嵌合すると共に本体側端子に容器側端子が接触するように構成されている。このような構成を採用することで、本体側端子に容器側端子を確実に接触させることができ、本体側コネクターと容器側コネクターの間の通信不良を回避することができる。
【００１１】
前記現像器は、前記近接離間方向に隙間がある状態で前記本体側ハウジングに嵌合する嵌合部を備えていても良い。
【００１２】
このような構成を採用することで、本体側接続部及び容器側接続部を移動させることなく、像担持体との近接離間方向に現像器を移動させることが可能となる。
【００１３】
前記嵌合部は、前記近接離間方向と前記トナー容器の前記現像器への装着方向とに対して交差する方向に隙間がある状態で前記本体側ハウジングに嵌合しても良い。
【００１４】
このような構成を採用することで、像担持体との近接離間方向に現像器を移動させる時に、上記近接離間方向とトナー容器の現像器への装着方向とに対して交差する方向の力が現像器に作用しても、現像器を容易に移動させることができる。
【００１５】
前記嵌合部は、前記近接離間方向と前記トナー容器の前記現像器への装着方向とに対して交差する方向に隙間が無い状態で前記本体側ハウジングに嵌合しても良い。
【００１６】
このような構成を採用することで、上記近接離間方向とトナー容器の現像器への装着方向とに対して交差する方向について、装置本体と現像器とトナー容器を正確に位置決めすることが可能となる。
【００１７】
前記装置本体は、前記近接離間方向に移動可能な状態で前記本体側接続部を支持する支持部材を備えていても良い。
【００１８】
このような構成を採用することで、像担持体との近接離間方向に現像器と本体側接続部を一体に移動させることができる。
【００１９】
前記支持部材は、前記近接離間方向と前記トナー容器の前記現像器への装着方向とに対して交差する方向に移動可能な状態で前記本体側接続部を支持しても良い。
【００２０】
このような構成を採用することで、像担持体との近接離間方向に現像器を移動させる時に、上記近接離間方向とトナー容器の現像器への装着方向とに対して交差する方向の力が現像器に作用しても、現像器を容易に移動させることができる。
【００２１】
前記支持部材は、前記近接離間方向と前記トナー容器の前記現像器への装着方向とに対して交差する方向への移動が規制された状態で前記本体側接続部を支持しても良い。
【００２２】
このような構成を採用することで、上記近接離間方向とトナー容器の現像器への装着方向とに対して交差する方向について、装置本体と現像器とトナー容器を正確に位置決めすることが可能となる。
【００２３】
前記本体側接続部は、前記トナー容器の前記現像器への装着方向に沿って移動可能に設けられ、前記装置本体は、前記装着方向手前側に向かって前記本体側接続部を付勢する付勢部材を更に備えていても良い。
【００２４】
このような構成を採用することで、トナー容器の現像器への装着方向において本体側接続部と容器側接続部を正確に位置決めすることができる。そのため、本体側端子と容器側端子を一層確実に接触させることが可能となる。
【００２５】
前記本体側接続部は、前記トナー容器の前記現像器への装着方向に沿って移動可能に設けられ、前記装置本体は、前記現像器が装着される装着部と、該装着部内に挿入される被押圧部と、前記本体側接続部の前記装着方向奥側に配置される押圧部と、前記被押圧部と前記押圧部の間に設けられる支点部と、を有し、該支点部を中心に揺動可能な揺動部材と、を更に備え、前記現像器が前記装着部に装着されると、前記現像器が前記被押圧部を押圧して前記揺動部材が前記支点部を中心に揺動し、前記押圧部が前記本体側接続部を押圧して該本体側接続部が前記装着方向手前側に移動しても良い。
【００２６】
このような構成を採用することで、現像器が装着部に装着されるまでは、本体側接続部を装着方向奥側に退避させておくことが可能となる。そのため、ジャム処理（装置本体の内部に詰まった用紙を取り除く処理）の際に本体側接続部が邪魔になりにくく、ジャム処理を容易に行うことが可能となる。また、現像器が装着部に装着されると、本体側接続部が装着方向手前側に移動して容器側接続部に接近するため、容器側接続部を装着方向奥側に向かって大きく突出させなくても、容器側ハウジングを本体側ハウジングに嵌合させることが可能となる。これに伴って、トナー容器の断面積を小さくすることが可能となる。
【００２７】
前記装置本体は、前記像担持体と近接する方向に前記現像器を付勢する付勢体を更に備えていても良い。
【００２８】
このような構成を採用することで、像担持体に対する現像器の位置を容易に適正化することが可能となる。
【００２９】
本発明のトナー容器は、トナー像を担持する像担持体を有する装置本体と、該装置本体に着脱可能に装着され、前記像担持体にトナーを供給する現像器と、を有する画像形成装置に設けられ、前記現像器に着脱可能に装着され、前記現像器にトナーを供給するトナー容器であって、前記装置本体は、本体側端子を有する本体側コネクターと、該本体側コネクターを保持する本体側ハウジングと、を有する本体側接続部を備え、前記トナー容器は、前記本体側端子と接触可能な容器側端子を有する容器側コネクターと、該容器側コネクターを保持する容器側ハウジングと、を有する容器側接続部を備え、前記現像器が前記装置本体に装着された状態において、前記像担持体との近接離間方向に前記現像器が移動可能であり、前記現像器が前記装置本体に装着されると共に前記トナー容器が前記現像器に装着された状態において、前記本体側ハウジングに前記容器側ハウジングが嵌合すると共に前記本体側端子に前記容器側端子が接触することを特徴とする。
【００３０】
上記のように、現像器が装置本体に装着された状態において、像担持体との近接離間方向に現像器が移動可能である。そのため、像担持体に対する現像器の位置を調整することが可能となる。これに伴って、像担持体に対して現像器を適切な位置に配置することが可能となり、現像器から像担持体に適切な量のトナーを供給することができる。
【００３１】
また、現像器が装置本体に装着されると共にトナー容器が現像器に装着された状態において、本体側ハウジングに容器側ハウジングが嵌合すると共に本体側端子に容器側端子が接触するように構成されている。このような構成を採用することで、本体側端子に容器側端子を確実に接触させることができ、容器側コネクターと本体側コネクターの間の通信不良を回避することができる。
【発明の効果】
【００３２】
本発明によれば、本体側端子に容器側端子を確実に接触させると共に、像担持体に対して現像器を適切な位置に配置することが可能となる。
【図面の簡単な説明】
【００３３】
【図１】本発明の第１の実施形態に係るプリンターの概略を示す模式図である。
【図２】本発明の第１の実施形態に係るプリンターのプリンター本体の左上部分を示す断面図である。
【図３】本発明の第１の実施形態に係るプリンターのプリンター本体において、本体側接続部を示す断面図である。
【図４】本発明の第１の実施形態に係るプリンターのプリンター本体において、本体側コネクターを示す斜視図である。
【図５】本発明の第１の実施形態に係るプリンターのプリンター本体において、本体側接続部を示す斜視図である。
【図６】本発明の第１の実施形態に係るプリンターにおいて、現像器がプリンター本体に装着されると共にトナーコンテナが現像器に装着された状態を示す断面図である。
【図７】本発明の第１の実施形態に係るプリンターにおいて、現像器と本体側接続部の関係を示す正断面図である。
【図８】本発明の第１の実施形態に係るプリンターの現像器を示す左上側からの斜視図である。
【図９】本発明の第１の実施形態に係るプリンターの現像器を示す左下側からの斜視図である。
【図１０】本発明の第１の実施形態に係るプリンターにおいて、現像器と本体側接続部の関係を示す側断面図である。
【図１１】本発明の第１の実施形態に係るプリンターのトナーコンテナを示す右後側からの斜視図である。
【図１２】本発明の第１の実施形態に係るプリンターのトナーコンテナを示す左前側からの斜視図である。
【図１３】本発明の第１の実施形態に係るプリンターのトナーコンテナにおいて、容器側コネクターを示す斜視図である。
【図１４】（ａ）は、本発明の第１の実施形態に係るプリンターにおいて、トナーコンテナを現像器に装着する前の状態を示す断面図である。（ｂ）は、本発明の第１の実施形態に係るプリンターにおいて、トナーコンテナを現像器に装着した状態を示す断面図である。
【図１５】本発明の第１の実施形態に係るプリンターにおいて、本体側ハウジングの嵌合筒部に容器側ハウジングが嵌合した状態を示す断面図である。
【図１６】本発明の第１の実施形態に係るプリンターにおいて、トナーコンテナが装着された現像器をプリンター本体から取り外す途中の状態を示す断面図である。
【図１７】他の異なる実施形態に係るプリンターにおいて、現像器と本体側接続部の関係を示す側断面図である。
【図１８】本発明の第２の実施形態に係るプリンターのプリンター本体において、本体側接続部及び支持部材を示す斜視図である。
【図１９】（ａ）は、本発明の第２の実施形態に係るプリンターのプリンター本体において、本体側接続部及び支持部材を示す正断面図である。（ｂ）は、本発明の第２の実施形態に係るプリンターのプリンター本体において、本体側接続部及び支持部材を示す側断面図である。
【図２０】（ａ）は、他の異なる実施形態に係るプリンターのプリンター本体において、本体側接続部及び支持部材を示す正断面図である。（ｂ）は、他の異なる実施形態に係るプリンターのプリンター本体において、本体側接続部及び支持部材を示す側断面図である。
【図２１】本発明の第３の実施形態に係るプリンターにおいて、本体側ハウジングの嵌合筒部に容器側ハウジングが嵌合した状態を示す断面図である。
【図２２】本発明の第４の実施形態に係るプリンターにおいて、現像器がプリンター本体の装着部に装着された状態を示す断面図である。
【図２３】本発明の第４の実施形態に係るプリンターにおいて、現像器をプリンター本体の装着部に装着する途中の状態を示す断面図である。
【発明を実施するための形態】
【００３４】
＜第１の実施形態＞
まず、図１を用いて、プリンター１（画像形成装置）の全体の構成について説明する。
【００３５】
プリンター１は、箱型形状のプリンター本体２（装置本体）を備えており、プリンター本体２の下部には用紙（図示せず）を収納する給紙カセット３が設けられ、プリンター本体２の上端には排紙トレイ４が設けられている。
【００３６】
プリンター本体２の左上部には、トナーコンテナ５（トナー容器）が収容されている。プリンター本体２の右上部には、レーザー・スキャニング・ユニット（ＬＳＵ）で構成される露光器６が配置されている。プリンター本体２の中央部には、画像形成部７が設けられている。画像形成部７には、感光体ドラム８（像担持体）が回転可能に設けられている。感光体ドラム８の周囲には、帯電器１０と、現像器１１と、転写ローラー１２と、クリーニング装置１３とが、感光体ドラム８の回転方向（図１の矢印Ｒ参照）に沿って配置されている。
【００３７】
プリンター本体２の内部には、用紙の搬送路１４が設けられている。搬送路１４の上流端には給紙部１５が設けられ、搬送路１４の中流部には、感光体ドラム８と転写ローラー１２によって構成される転写部１６が設けられ、搬送路１４の下流部には定着装置１７が設けられ、搬送路１４の下流端には排紙部１８が設けられている。
【００３８】
次に、このような構成を備えたプリンター１の画像形成動作について説明する。
【００３９】
プリンター１に電源が投入されると、各種パラメーターが初期化され、定着装置１７の温度設定等の初期設定が実行される。そして、プリンター１に接続されたコンピューター等から画像データが入力され、印刷開始の指示がなされると、以下のようにして画像形成動作が実行される。
【００４０】
まず、帯電器１０によって感光体ドラム８の表面が帯電された後、露光器６からのレーザー光（図１の矢印Ｐ参照）により感光体ドラム８に対して画像データに対応した露光が行われ、感光体ドラム８の表面に静電潜像が形成される。次に、トナーコンテナ５から供給されるトナーによって、現像器１１が静電潜像をトナー像に現像する。これにより、感光体ドラム８がトナー像を担持する。
【００４１】
一方、給紙部１５によって給紙カセット３から取り出された用紙は、上記した画像形成動作とタイミングを合わせて転写部１６へと搬送され、転写部１６において感光体ドラム８に担持されたトナー像が用紙に転写される。トナー像を転写された用紙は、搬送路１４を下流側へと搬送されて定着装置１７に進入し、この定着装置１７において用紙にトナー像が定着される。トナー像が定着された用紙は、排紙部１８から排紙トレイ４に排出される。なお、感光体ドラム８上に残留したトナーは、クリーニング装置１３によって回収される。
【００４２】
次に、プリンター本体２、現像器１１及びトナーコンテナ５について更に詳細に説明する。
【００４３】
なお、図面上に適宜付される矢印Ｆｒは、プリンター１の前側（正面側）を示している。図面上に適宜付される矢印Ｘは、トナーコンテナ５の現像器１１への装着方向（以下、「装着方向Ｘ」と称する）を示している。装着方向Ｘは、上から下に向かう方向である。図面上に適宜付される矢印Ｙは、感光体ドラム８に対する現像器１１の近接離間方向（以下、「近接離間方向Ｙ」と称する）を示している。近接離間方向Ｙは、左右方向である。図面上に適宜付される矢印Ｚは、装着方向Ｘ及び近接離間方向Ｙに対して交差する方向（以下、「交差方向Ｚ」と称する）を示している。交差方向Ｚは、前後方向である。
【００４４】
まず、プリンター本体２について説明する。
【００４５】
図２に示されるように、プリンター本体２の左側部には、現像器１１を装着するための装着部２０が形成されている。装着部２０の右下側には、感光体ドラム８が回転可能に設けられている。感光体ドラム８の左側部は、装着部２０に面している。プリンター本体２の左端部には、開閉可能な手差しトレイ２１が取り付けられている。プリンター本体２の左端部には、コイルバネ２９（付勢体）が収容されている。プリンター本体２の左上部には、開閉可能な上カバー２２が取り付けられている。なお、上カバー２２は、図２を除いて記載が省略されている。
【００４６】
プリンター本体２の装着部２０の左下部には、本体側接続部２３が設けられている。図３に示されるように、本体側接続部２３は、本体側コネクター２４と、本体側コネクター２４を保持する本体側ハウジング２５と、を備えている。
【００４７】
図４に示されるように、本体側コネクター２４は、本体側基板２６と、本体側基板２６の右側面に固定される本体側取付部材２７と、本体側取付部材２７に支持される４個の本体側端子２８ａ〜２８ｄ（後側から順に、本体側端子２８ａ、本体側端子２８ｂ、本体側端子２８ｃ、本体側端子２８ｄ）と、を備えている。
【００４８】
本体側基板２６は、略鉛直姿勢で設けられており、平板状を成している。本体側基板２６の前後両端縁には、半円弧状の溝部３０が上下に列設されている。本体側基板２６の下端縁の前後両端部には、下方に向かって突部３１が設けられている。
【００４９】
本体側取付部材２７には、４個の端子収容部３２が前後に列設されている。各端子収容部３２は、箱型形状を成している。各端子収容部３２の上面側は、開口されている。本体側取付部材２７の右側面には、各端子収容部３２と対応する位置に、スリット３３が形成されている。
【００５０】
各本体側端子２８ａ〜２８ｄは、前後に列設されている。各本体側端子２８ａ〜２８ｄは、上下方向の位置（装着方向Ｘにおける位置）が同一である。各本体側端子２８ａ〜２８ｄは、板バネ状を成している。各本体側端子２８ａ〜２８ｄの左側部は、本体側取付部材２７の各端子収容部３２に収容されている。各本体側端子２８ａ〜２８ｄの右側部は、各スリット３３を介して、各端子収容部３２の右方に突出している。
【００５１】
図５に示されるように、本体側ハウジング２５は、上面の左側部から右端部に亘る部分が右下方に傾斜している。本体側ハウジング２５の上面の左端部には、前後一対の凹部３４が形成されている。本体側ハウジング２５の左前上隅部と左後上隅部には、それぞれ切欠部３５が形成されている。
【００５２】
本体側ハウジング２５の右側部には、上下方向（装着方向Ｘと平行な方向）に沿って延びる四角筒状の嵌合筒部３６が設けられている。嵌合筒部３６は、第１ガイド壁３７と、第１ガイド壁３７の右側に設けられる第２ガイド壁３８と、第１ガイド壁３７及び第２ガイド壁３８の前後両側に設けられる一対の第３ガイド壁３９ａ、３９ｂと、を備えている。
【００５３】
第１ガイド壁３７には、上下方向に長いスリット状の挿通穴４１が、前後に間隔をおいて４個設けられている。各挿通穴４１には、各本体側端子２８ａ〜２８ｄが挿通されている。つまり、各本体側端子２８ａ〜２８ｄは、第１ガイド壁３７に配置されている。第２ガイド壁３８は、所定の間隔を介して第１ガイド壁３７と対向している。
【００５４】
一対の第３ガイド壁３９ａ、３９ｂは、所定の間隔を介して互いに対向している。前側の第３ガイド壁３９ａは、第１ガイド壁３７の前端部と第２ガイド壁３８の前端部を接続している。前側の第３ガイド壁３９ａの上端部（装着方向Ｘにおける手前側の端部）は、上側（装着方向手前側）に向かって前側（前後方向外側）に傾斜している。後側の第３ガイド壁３９ｂは、第１ガイド壁３７の後端部と第２ガイド壁３８の後端部を接続している。後側の第３ガイド壁３９ｂの上端部は、上側（装着方向手前側）に向かって後側（前後方向外側）に傾斜している。
【００５５】
図３に示されるように、本体側ハウジング２５は、下側が開口された箱型形状を成している。本体側ハウジング２５の内部の左端部には、上下方向に延びる支持片４２が設けられている。支持片４２は、第１ガイド壁３７を挟んで第２ガイド壁３８の反対側に設けられている。第１ガイド壁３７と支持片４２の間には、本体側コネクター２４の本体側基板２６と本体側取付部材２７が挟み込まれている。支持片４２の下端側には、右方に向かって突出するフック４３が設けられている。フック４３は、本体側基板２６の下端縁に設けられた突部３１に係合している。
【００５６】
次に、現像器１１について説明する。
【００５７】
図６に示されるように、現像器１１は、プリンター本体２の装着部２０に着脱可能に装着されている。現像器１１は、コイルバネ２９によって右方（感光体ドラム７と近接する方向）に付勢されている。
【００５８】
図７等に示されるように、現像器１１は、箱型形状の現像器本体４４を備えている。現像器本体４４の左上部には、上方に向かって開口されたコンテナ保持部４５が形成されている。コンテナ保持部４５の後端側には、レバー４６が設けられている。レバー４６の右下方には、駆動カップリング４７が設けられている。駆動カップリング４７は、レバー４６に接続されており、レバー４６を操作することで、駆動カップリング４７が回転するように構成されている。図８に示されるように、コンテナ保持部４５の前端側には、駆動ギア４８が設けられている。駆動ギア４８は、モーター等によって構成される駆動源（図示せず）に接続されている。
【００５９】
図９等に示されるように、コンテナ保持部４５の左前部には、嵌合部５０が設けられている。嵌合部５０は、四角筒状を成しており、上下方向に沿って設けられている。図７に示されるように、嵌合部５０は、近接離間方向Ｙに隙間ｄ１がある状態で本体側ハウジング２５の外周に嵌合している。そのため、現像器１１がプリンター本体２に装着された状態において、現像器１１が近接離間方向Ｙに移動可能となっている。
【００６０】
図１０に示されるように、嵌合部５０は、交差方向Ｚに隙間ｄ２がある状態で本体側ハウジング２５の外周に嵌合している。そのため、現像器１１がプリンター本体２に装着された状態において、現像器１１が交差方向Ｚに移動可能となっている。
【００６１】
図７に示されるように、現像器本体４４の右下部には、トナー収容部５１が形成されている。トナー収容部５１の左側部には隔壁５２が立設されており、隔壁５２によってトナー収容部５１が左右に区画されている。隔壁５２の左側と右側には、それぞれ攪拌体５３が設けられている。右側の攪拌体５３の右方には、現像ローラー５４（トナー担持体）が設けられている。現像ローラー５４は、感光体ドラム８に当接している。
【００６２】
次に、トナーコンテナ５について説明する。
【００６３】
図６等に示されるように、トナーコンテナ５は、現像器１１のコンテナ保持部４５に着脱可能に装着されている。トナーコンテナ５は、上面が開口された箱型形状の容器本体５５と、容器本体５５の上面を覆う蓋体５６と、容器本体５５の略中央に収容される攪拌パドル５７（攪拌部材）と、容器本体５５の右下部に収容される搬送スクリュー５８（搬送部材）と、容器本体５５の下端から下方に向かって突出する容器側接続部５９と、を備えている。
【００６４】
容器本体５５は、トナーを収容している。図１１等に示されるように、容器本体５５の上端外周には、フランジ部６１が設けられている。容器本体５５の後端壁６３には、トナーを容器本体５５の内部に充填するための充填口６４が設けられている。充填口６４は、キャップ６５によって塞がれている。
【００６５】
容器本体５５の下端壁６６の右端部には、容器本体５５からトナーを排出するための排出口６７が設けられている。排出口６７は、シャッター６８によって内側から閉止されている。シャッター６８は、容器本体５５の後端壁６３の後側に突出する従動カップリング７０に接続されており、従動カップリング７０の回転に伴ってシャッター６８が回転することで、排出口６７が開閉されるようになっている。従動カップリング７０は、トナーコンテナ５が現像器１１に装着された状態において、現像器１１の駆動カップリング４７（図７参照）に連結されるように構成されており、駆動カップリング４７に接続されたレバー４６を操作することで、シャッター６８が回転するように構成されている。
【００６６】
図１１等に示されるように、蓋体５６の下端外周には、容器本体５５のフランジ部６１と対応する形状のフランジ部７１が設けられており、フランジ部６１とフランジ部７１が超音波溶着されることで、容器本体５５と蓋体５６が一体化されている。
【００６７】
図６に示されるように、攪拌パドル５７は、取付枠７２と、取付枠７２に支持される攪拌羽根７３と、を備えている。取付枠７２は、容器本体５５に軸支されている。これにより、攪拌パドル５７が容器本体５５に対して回転可能となっている。取付枠７２の前端部には、攪拌ギア７４（図１２参照）が固定されている。攪拌ギア７４は、容器本体５５の前端壁６２の前側（外側）に配置されている。攪拌ギア７４は、トナーコンテナ５が現像器１１に装着された状態で、現像器１１の駆動ギア４８（図８参照）に噛合するように構成されている。攪拌羽根７３は、例えば、ＰＥＴフィルム（Polyethylene Terephthalate Film）等の合成樹脂製フィルムによって形成されており、可撓性を有している。
【００６８】
図６に示されるように、搬送スクリュー５８は、棒状の回転軸７５と、この回転軸７５の外周に同心で設けられる螺旋状のフィン７６と、を備えている。回転軸７５は、容器本体５５に軸支されている。これにより、搬送スクリュー５８が容器本体５５に対して回転可能となっている。回転軸７５の前端部には、搬送ギア７７（図１２参照）が固定されている。搬送ギア７７は、容器本体５５の前端壁６２の前側（外側）に配置されている。搬送ギア７７は、攪拌ギア７４に噛合している。
【００６９】
図１２に示されるように、容器側接続部５９は、容器側コネクター７８と、容器側コネクター７８を保持する容器側ハウジング７９と、を備えている。
【００７０】
容器側コネクター７８は、情報チップであり、トナーコンテナ５に関する各種情報（例えば、トナーコンテナ５の製造番号）を記憶するように構成されている。図１３に示されるように、容器側コネクター７８は、容器側基板８０と、容器側基板８０に取り付けられる４個の容器側端子８１ａ〜８１ｄ（後側から順に、容器側端子８１ａ、容器側端子８１ｂ、容器側端子８１ｃ、容器側端子８１ｄ）と、を備えている。
【００７１】
容器側基板８０の上下前後の４隅には、固定溝８２が切欠されている。容器側基板８０の前後両端縁には、半円弧状の取付溝８３が凹設されている。
【００７２】
各容器側端子８１ａ〜８１ｄは、縦長矩形状を成している。容器側端子８１ａは、例えば、グラウンド用端子（接地用端子）である。容器側端子８１ｂは、例えば、クロック用端子である。容器側端子８１ｃは、例えば、信号用端子である。容器側端子８１ｄは、例えば、電源用端子である。
【００７３】
各容器側端子８１ａ〜８１ｄの上端位置は、同一高さである。各容器側端子８１ａ〜８１ｄの上下長さ（装着方向Ｘにおける長さ）は、容器側端子８１ａが最も長く、容器側端子８１ｄがその次に長く、容器側端子８１ｂ、８１ｃが最も短くなっている。そのため、各容器側端子８１ａ〜８１ｄの下端位置（装着方向Ｘにおける奥側の端部の位置）は、容器側端子８１ａが最も低く、容器側端子８１ｄが次に低く、容器側端子８１ｂ、８１ｃが最も高くなっている。
【００７４】
図１１、図１２に示されるように、容器側ハウジング７９は、第１壁部９０と、第１壁部９０の反対側に設けられる第２壁部９１と、第１壁部９０と第２壁部９１を接続する前後一対の第３壁部９２ａ、９２ｂと、を備えている。
【００７５】
図１２に示されるように、第１壁部９０の上部から下端部に亘る部分には、固定凹部９３が設けられており、この固定凹部９３には、容器側コネクター７８が収容されている。そのため、各容器側端子８１ａ〜８１ｄは、第１壁部９０に配置されている。固定凹部９３の上下前後の４隅には固定片９４が設けられており、各固定片９４は、容器側基板８０の各固定溝８２（図１３参照）に係合している。固定凹部９３の前後両端部には、ビス９５が締結されている。ビス９５は、容器側基板８０の取付溝８３（図１３参照）を貫通している。第２壁部９１及び一対の第３壁部９２ａ、９２ｂの下端部（装着方向Ｘにおける奥側の端部）は、下側（装着方向Ｘにおける奥側）に向かって内側に傾斜している。
【００７６】
上記のように構成されたものにおいて、感光体ドラム８にトナーを供給する方法について説明する。
【００７７】
まず、トナーコンテナ５が現像器１１に装着されると共に現像器１１がプリンター本体２に装着された状態（図６参照）で、現像器１１のレバー４６を操作する。このように現像器１１のレバー４６を操作すると、レバー４６に接続された駆動カップリング４７が回転し、駆動カップリング４７に連結された従動カップリング７０も回転する。このように従動カップリング７０が回転すると、従動カップリング７０に接続されたシャッター６８が回転し、シャッター６８がトナーコンテナ５の排出口６７を開放する。
【００７８】
この状態で、駆動源（図示せず）を駆動させると、現像器１１の駆動ギア４８が回転する。このように駆動ギア４８が回転すると、この回転が攪拌ギア７４を介して攪拌パドル５７に伝達され、攪拌パドル５７が回転する。これに伴って、容器本体５５内のトナーが攪拌されながら搬送スクリュー５８側へと搬送される。
【００７９】
また、上記のように駆動ギア４８が回転すると、この回転が攪拌ギア７４及び搬送ギア７７を介して搬送スクリュー５８に伝達され、搬送スクリュー５８が回転する。これに伴って、容器本体５５内のトナーが排出口６７から排出され、現像器本体４４のトナー収容部５１に供給される。現像器本体４４のトナー収容部５１に供給されたトナーは、各攪拌体５３によって攪拌された後、現像ローラー５４へと搬送され、現像ローラー５４から感光体ドラム８に供給される。
【００８０】
次に、上記のように構成されたものにおいて、現像器１１に対してトナーコンテナ５を着脱する方法について説明する。以下、現像器１１がプリンター本体２に装着されている前提で説明を行う。
【００８１】
現像器１１にトナーコンテナ５を装着する場合には、図１４（ａ）に示されるように、トナーコンテナ５を現像器１１の上方に保持する。そして、装着方向Ｘに沿ってトナーコンテナ５を下降させ、図１４（ｂ）に示されるように、トナーコンテナ５を現像器１１のコンテナ保持部４５に装着する。これに伴って、図１５に示されるように、本体側ハウジング２５の嵌合筒部３６に容器側ハウジング７９が嵌合し、各本体側端子２８ａ〜２８ｄに各容器側端子８１ａ〜８１ｄが接触する。これにより、本体側コネクター２４と容器側コネクター７８の間で接触通信を行うことが可能となる。なお、現像器１１からトナーコンテナ５を取り外す場合には、上記の手順とは逆に、トナーコンテナ５を現像器１１から持ち上げれば良い。
【００８２】
次に、上記のように構成されたものにおいて、プリンター本体２に対して現像器１１を着脱する方法について説明する。以下、トナーコンテナ５が現像器１１に装着されている前提で説明を行う。
【００８３】
現像器１１をプリンター本体２から取り外す場合には、図１６に矢印Ｂで示されるように、右端側（感光体ドラム８側）を支点に現像器１１を回転させ、現像器１１の左端側（コンテナ保持部４５側）を上方に移動させる。これに伴って、現像器１１のコンテナ保持部４５に装着されたトナーコンテナ５が上方に移動し、本体側ハウジング２５の嵌合筒部３６に対する容器側ハウジング７９の嵌合が解除されると共に、各容器側端子８１ａ〜８１ｄが各本体側端子２８ａ〜２８ｄから離間する。この状態で、図１６に矢印Ｃで示されるように、現像器１１を左上方に引き抜く。これにより、現像器１１がプリンター本体２から取り外される（図２参照）。
【００８４】
なお、現像器１１をプリンター本体２に装着する場合には、現像器１１をプリンター本体２の装着部２０に押し込んだ後、右端側（感光体ドラム８側）を支点に現像器１１を回転させ、現像器１１の左端側（コンテナ保持部４５側）を下方に移動させる。これに伴って、現像器１１のコンテナ保持部４５に装着されたトナーコンテナ５も下方に移動し、容器側ハウジング７９が本体側ハウジング２５の嵌合筒部３６に嵌合すると共に、各本体側端子２８ａ〜２８ｄに各容器側端子８１ａ〜８１ｄが接触する。
【００８５】
本実施形態では前述のように、現像器１１がプリンター本体２に装着された状態において、現像器１１が近接離間方向Ｙに移動可能となっているため、感光体ドラム８に対する現像器１１の位置を調整することが可能となる。これに伴って、感光体ドラム８に対して現像器１１を適切な位置に配置することが可能となり、現像器１１の現像ローラー５４から感光体ドラム８に適切な量のトナーを供給することができる。本実施形態では特に、感光体ドラム８と近接する方向に現像器１１を付勢するコイルバネ２９がプリンター本体２に設けられている。そのため、感光体ドラム８に対する現像器１１の位置を容易に適正化することが可能となる。
【００８６】
また、現像器１１がプリンター本体２に装着されると共にトナーコンテナ５が現像器１１に装着された状態において、本体側ハウジング２５の嵌合筒部３６に容器側ハウジング７９が嵌合すると共に本体側端子２８ａ〜２８ｄに容器側端子８１ａ〜８１ｄが接触するように構成されている。このような構成を採用することで、本体側端子２８ａ〜２８ｄに容器側端子８１ａ〜８１ｄを確実に接触させることができ、本体側コネクター２４と容器側コネクター７８の間の通信不良を回避することができる。
【００８７】
また、現像器１１は、近接離間方向Ｙに隙間ｄ１がある状態で本体側ハウジング２５に嵌合する嵌合部５０を備えている。このような構成を採用することで、本体側接続部２３及び容器側接続部５９を移動させることなく、現像器１１を近接離間方向Ｙに移動させることが可能となる。
【００８８】
また、嵌合部５０は、交差方向Ｚに隙間ｄ２がある状態で本体側ハウジング２５に嵌合している。このような構成を採用することで、現像器１１が交差方向Ｚにも移動可能となる。そのため、現像器１１を近接離間方向Ｙに移動させる時に、交差方向Ｚの力が現像器１１に作用しても、現像器１１を容易に移動させることができる。
【００８９】
また、本実施形態においては、プリンター本体２の本体側ハウジング２５に対して現像器１１の嵌合部５０を位置決めし、現像器１１のコンテナ保持部４５に対してトナーコンテナ５を位置決めしている。このような構成を採用することで、プリンター本体２、現像器１１及びトナーコンテナ５を、正確に位置決めすることが可能となる。
【００９０】
本実施形態では、近接離間方向Ｙ及び交差方向Ｚの両方に現像器１１が移動可能であった。一方で、他の異なる実施形態では、図１７に示されるように、交差方向Ｚに隙間が無い状態で嵌合部５０を本体側ハウジング２５に嵌合させることで、近接離間方向Ｙにのみ現像器１１が移動可能であっても良い。このような構成を採用することで、交差方向Ｚについて、プリンター本体２と現像器１１とトナーコンテナ５を正確に位置決めすることが可能となる。
【００９１】
本実施形態では、装着方向Ｘが上から下に向かう方向（鉛直方向）であったが、他の異なる実施形態では、装着方向Ｘが水平方向であっても良いし、装着方向Ｘが鉛直方向及び水平方向に対して傾いた方向であっても良い。
【００９２】
本実施形態では、現像ローラー５４が感光体ドラム８に当接する場合について説明したが、他の異なる実施形態では、現像ローラー５４が感光体ドラム８と隙間を介して対向していても良い。
【００９３】
本実施形態では、プリンター１に本発明の構成を適用する場合について説明したが、他の異なる実施形態では、複写機、ファクシミリ、複合機等の他の画像形成装置に本発明の構成を適用することも可能である。
【００９４】
＜第２の実施形態＞
次に、本発明の第２の実施形態について、図１８及び図１９を用いて説明する。なお、第１の実施形態と同様の部分については、説明を省略する。
【００９５】
本体側ハウジング２５の前壁１０１と後壁１０２の下端には、前後方向外側に向かって突片１０３が設けられている。各突片１０３には、貫通穴１０４が上下方向に穿設されている。本体側ハウジング２５の外周には、現像器１１（図１８及び図１９では図示せず）の嵌合部５０が、近接離間方向Ｙ及び交差方向Ｚに隙間がない状態で嵌合している。
【００９６】
本体側ハウジング２５は、プリンター本体２に設けられた支持部材１０５に載置されている。支持部材１０５には、前後一対の取付穴１０６が設けられている。そして、本体側ハウジング２５の各突片１０３の貫通穴１０４を貫通する取付ネジ１０７が各取付穴１０６に挿入されることで、本体側ハウジング２５が支持部材１０５に取り付けられている。
【００９７】
図１９（ａ）に示されるように、各取付ネジ１０７と各突片１０３の貫通穴１０４の間には、近接離間方向Ｙに隙間ｄ３が形成されている。そのため、本体側接続部２３は、近接離間方向Ｙに移動可能な状態で支持部材１０５に支持されている。換言すると、本体側接続部２３は、近接離間方向Ｙにガタがある状態で支持部材１０５に支持されている。このような構成を採用することで、近接離間方向Ｙに現像器１１と本体側接続部２３を一体に移動させることができる。
【００９８】
図１９（ｂ）に示されるように、各取付ネジ１０７と各突片１０３の貫通穴１０４の間には、交差方向Ｚに隙間ｄ４が形成されている。そのため、本体側接続部２３は、交差方向Ｚに移動可能な状態で支持部材１０５に支持されている。換言すると、本体側接続部２３は、交差方向Ｚにガタがある状態で支持部材１０５に支持されている。このような構成を採用することで、現像器１１が交差方向Ｚにも移動可能となる。そのため、現像器１１を近接離間方向Ｙに移動させる時に、交差方向Ｚの力が現像器１１に作用しても、現像器１１を容易に移動させることができる。
【００９９】
本実施形態では、交差方向Ｚにガタがある状態で本体側接続部２３が支持部材１０５に支持されることで、交差方向Ｚに移動可能な状態で本体側接続部２３が支持部材１０５に支持される場合について説明した。一方で、他の異なる実施形態では、図２０に示されるように、交差方向Ｚにガタが無い状態で本体側接続部２３が支持部材１０５に支持されることで、交差方向Ｚへの移動が規制された状態で本体側接続部２３が支持部材１０５に支持されても良い。このような構成を採用することで、交差方向Ｚについて、プリンター本体２と現像器１１とトナーコンテナ５を正確に位置決めすることが可能となる。
【０１００】
＜第３の実施形態＞
次に、本発明の第３の実施形態について、図２１を用いて説明する。なお、第１の実施形態と同様の部分については、説明を省略する。
【０１０１】
プリンター本体２には、ガイド部材１１１が設けられている。ガイド部材１１１には、ガイド穴１１２が上下方向（装着方向Ｘと平行な方向）に設けられている。ガイド穴１１２には、本体側接続部２３が装着方向Ｘに沿って移動可能な状態で収容されている。
【０１０２】
プリンター本体２には、本体側接続部２３の下方にバネ受部１１３が設けられており、本体側接続部２３の本体側ハウジング２５の下壁１１５とバネ受部１１３の間には、コイルバネ１１４（付勢部材）が介装されている。コイルバネ１１４は、上側（装着方向Ｘにおける手前側）に向かって本体側接続部２３を付勢している。本体側接続部２３の本体側ハウジング２５の下壁１１５には、本体側ハウジング２５の嵌合筒部３６と対応する位置に、台座部１１６が上方に向かって突設されている。
【０１０３】
このように構成されたものにおいて、トナーコンテナ５が現像器１１に装着されると、容器側接続部５９の容器側ハウジング７９の下端部が台座部１１６の上面に当接する。これにより、装着方向Ｘにおいて本体側接続部２３と容器側接続部５９を正確に位置決めすることができる。そのため、本体側端子２８ａ〜２８ｄと容器側端子８１ａ〜８１ｄを一層確実に接触させることが可能となる。
【０１０４】
＜第４の実施形態＞
次に、本発明の第４の実施形態について、図２２及び図２３を用いて説明する。なお、第１の実施形態と同様の部分については、説明を省略する。
【０１０５】
プリンター本体２には、ガイド部材１２６が設けられている。ガイド部材１２６には、ガイド穴１２７が上下方向（装着方向Ｘと平行な方向）に設けられている。ガイド穴１２７には、本体側接続部２３が装着方向Ｘに沿って移動可能な状態で収容されている。
【０１０６】
プリンター本体２には、揺動部材１２１が設けられている。揺動部材１２１の右端部には、被押圧部１２２が設けられている。被押圧部１２２は、装着部２０内に挿入されている。揺動部材１２１の左端部には、押圧部１２３が設けられている。押圧部１２３は、本体側接続部２３の下側（装着方向Ｘにおける奥側）に配置されている。揺動部材１２１の左右方向中央部には、被押圧部１２２と押圧部１２３の間に、支点部１２４が設けられている。揺動部材１２１は、支点部１２４を中心に揺動可能となっている。
【０１０７】
トナーコンテナ５の容器本体５５の下端壁６６には、窪み部１２５が形成されている。窪み部１２５には、容器側接続部５９が設けられている。
【０１０８】
上記のように構成されたものにおいて、プリンター本体２の装着部２０に現像器１１を装着すると、図２３に示されるように、現像器１１が揺動部材１２１の被押圧部１２２を押圧する。これに伴って、図２２に示されるように、揺動部材１２１が支点部１２４を中心に揺動し、揺動部材１２１の押圧部１２３が本体側接続部２３を押圧して本体側接続部２３が上側（装着方向Ｘにおける手前側）に移動する。これに伴って、本体側ハウジング２５の嵌合筒部３６に容器側ハウジング７９が嵌合すると共に本体側端子２８ａ〜２８ｄに容器側端子８１ａ〜８１ｄが接触する。
【０１０９】
このような構成を採用することで、現像器１１が装着部２０に装着されるまでは、本体側接続部２３を下側（装着方向Ｘにおける奥側）に退避させておくことが可能となる。そのため、ジャム処理（プリンター本体２の内部に詰まった用紙を取り除く処理）の際に本体側接続部２３が邪魔になりにくく、ジャム処理を容易に行うことが可能となる。また、現像器１１が装着部２０に装着されると、本体側接続部２３が上側（装着方向Ｘにおける手前側）に移動して容器側接続部５９に接近するため、容器側接続部５９を下側（装着方向Ｘにおける奥側）に向かって大きく突出させなくても、容器側ハウジング７９を本体側ハウジング２５の嵌合筒部３６に嵌合させることが可能となる。これに伴って、トナーコンテナ５の断面積を小さくすることが可能となる。
【符号の説明】
【０１１０】
１  プリンター（画像形成装置）
２  プリンター本体（装置本体）
５  トナーコンテナ（トナー容器）
８  感光体ドラム（像担持体）
１１  現像器
２０  装着部
２３  本体側接続部
２４  本体側コネクター
２５  本体側ハウジング
２８ａ〜２８ｄ  本体側端子
２９  コイルバネ（付勢体）
５０  嵌合部
５９  容器側接続部
７８  容器側コネクター
７９  容器側ハウジング
８１ａ〜８１ｄ  容器側端子
１０５  支持部材
１１４  コイルバネ（付勢部材）
１２１  揺動部材
１２２  被押圧部
１２３  押圧部
１２４  支点部
【図１】
2014228608.tif 000003
【図２】
2014228608.tif 000004
【図３】
2014228608.tif 000005
【図４】
2014228608.tif 000006
【図５】
2014228608.tif 000007
【図６】
2014228608.tif 000008
【図７】
2014228608.tif 000009
【図８】
2014228608.tif 000010
【図９】
2014228608.tif 000011
【図１０】
2014228608.tif 000012
【図１１】
2014228608.tif 000013
【図１２】
2014228608.tif 000014
【図１３】
2014228608.tif 000015
【図１４】
2014228608.tif 000016
【図１５】
2014228608.tif 000017
【図１６】
2014228608.tif 000018
【図１７】
2014228608.tif 000019
【図１８】
2014228608.tif 000020
【図１９】
2014228608.tif 000021
【図２０】
2014228608.tif 000022
【図２１】
2014228608.tif 000023
【図２２】
2014228608.tif 000024
【図２３】
2014228608.tif 000025